(57)【要約】【課題】  １つの記録装置で複数種類の記録媒体に対応する装置の色分解テーブルの作成において、複数の色分解テーブルを作成する場合、設計期間を短縮する。【解決手段】  先に作成した色分解テーブルのインクの総打込量と次に作成する色分解テーブルのインクの総打込量の差を計算する。総打込量差を先に作成した色分解テーブルの総打込量で割った値を打込量修正比率とし、先に作成した色分解テーブルのインク値に打込量修正比率を乗じて、修正量を計算する。そして、修正量を先に作成した色分解テーブルのインク値に加減して、新たな色分解テーブルを作成する。このように、既に作成された色分解テーブルを利用して新たな色分解テーブルを作成するため、設計時間と労力を削減する色分解テーブルの作成方法を実現することができる。【選択図】  図６
2007088636.tif 000002
【特許請求の範囲】
【請求項１】
画像信号を印刷装置で用いる色材の信号に変換する処理に用いられる色分解テーブルであって、前記画像信号によって規定される格子点に対応させて前記色材信号として格子点データを格納した２以上の色分解テーブルを作成する画像処理装置において、
前記２以上の色分解テーブルのうち第１の色分解テーブルを構成する格子点について格子点データを求めるテーブルデータ作成手段と、
前記色分解テーブルのうち第２の色分解テーブルを構成する格子点について格子点データを求めるテーブルデータ作成手段であって、前記第１の色分解テーブルのインクの総打込量と、前記第２の色分解テーブルのインクの総打込量との差に基づいて、前記第２の色分解テーブルのインクの総打込量を、前記第２の色分解テーブルのインクの最大打込量以下になるように、前記第２の色分解テーブルの格子点データを求める前記第２の色分解テーブルのテーブルデータ作成手段と、
を具えたことを特徴とする画像処理装置。
【請求項２】
前記第２の色分解テーブルのテーブルデータ作成手段は、前記第１の色分解テーブルの格子点データを補正する比率を求め、該比率を第１の色分解テーブルの格子点データに乗ずることにより前記第２の色分解テーブルの格子点データを求めることを特徴とする、請求項１に記載の画像処理装置。
【請求項３】
画像信号を印刷装置で用いる色材の信号に変換する処理に用いられる色分解テーブルであって、前記画像信号によって規定される格子点に対応させて前記色材信号として格子点データを格納した２以上の色分解テーブルを作成するための画像処理方法において、
前記２以上の色分解テーブルのうち第１の色分解テーブルを構成する格子点について格子点データを求めるテーブルデータ作成工程と、
前記色分解テーブルのうち第２の色分解テーブルを構成する格子点について格子点データを求めるテーブルデータ作成工程であって、前記第１の色分解テーブルのインクの総打込量と、前記第２の色分解テーブルのインクの総打込量との差に基づいて、前記第２の色分解テーブルのインクの総打込量を、前記第２の色分解テーブルのインクの最大打込量以下になるように、前記第２の色分解テーブルの格子点データを求める前記第２の色分解テーブルのテーブルデータ作成工程と、
を具えたことを特徴とする画像処理方法。
【請求項４】
前記第２の色分解テーブルのテーブルデータ作成工程は、前記第１の色分解テーブルの格子点データを補正する比率を求め、該比率を第１の色分解テーブルの格子点データに乗ずることにより前記第２の色分解テーブルの格子点データを求めることを特徴とする、請求項３に記載の画像処理方法。
【請求項５】
コンピュータに、画像信号を印刷装置で用いる色材の信号に変換する処理に用いられる色分解テーブルであって、前記画像信号によって規定される格子点に対応させて前記色材信号として格子点データを格納した２以上の色分解テーブルを作成するための画像処理を実行させるプログラムであって、当該画像処理は、
前記２以上の色分解テーブルのうち第１の色分解テーブルを構成する格子点について格子点データを求めるテーブルデータ作成工程と、
前記色分解テーブルのうち第２の色分解テーブルを構成する格子点について格子点データを求めるテーブルデータ作成工程であって、前記第１の色分解テーブルのインクの総打込量と、前記第２の色分解テーブルのインクの総打込量との差に基づいて、前記第２の色分解テーブルのインクの総打込量を、前記第２の色分解テーブルのインクの最大打込量以下になるように、前記第２の色分解テーブルの格子点データを求める前記第２の色分解テーブルのテーブルデータ作成工程と、
を具えたことを特徴とするプログラム。
【請求項６】
コンピュータによって読取り可能にプログラムを記憶した記録媒体であって、
前記プログラムは、コンピュータに、画像信号を印刷装置で用いる色材の信号に変換する処理に用いられる色分解テーブルであって、前記画像信号によって規定される格子点に対応させて前記色材信号として格子点データを格納した２以上の色分解テーブルを作成するための画像処理を実行させるプログラムであって、当該画像処理は、
前記２以上の色分解テーブルのうち第１の色分解テーブルを構成する格子点について格子点データを求めるテーブルデータ作成工程と、
前記色分解テーブルのうち第２の色分解テーブルを構成する格子点について格子点データを求めるテーブルデータ作成工程であって、前記第１の色分解テーブルのインクの総打込量と、前記第２の色分解テーブルのインクの総打込量との差に基づいて、前記第２の色分解テーブルのインクの総打込量を、前記第２の色分解テーブルのインクの最大打込量以下になるように、前記第２の色分解テーブルの格子点データを求める前記第２の色分解テーブルのテーブルデータ作成工程と、  
を具えたプログラムを記憶した記憶媒体。
【発明の詳細な説明】
【技術分野】
【０００１】
本発明は、画像処理装置および画像処理方法に関し、特に、画像信号をインクやトナーなどの色材量の信号に変換する際に用いられる色分解テーブルの作成に関するものである。
【背景技術】
【０００２】
図１１は、色分解テーブルの作成の一例を示すフローチャートである。まず、パッチの測色値に基づき、格子点データを求める（Ｓ１１−１）。次に、色分解テーブルの８つの頂点を結ぶラインＷ（ホワイト）−Ｃ（シアン），Ｍ（マゼンタ），Ｙ（イエロー），Ｒ（レッド），Ｇ（グリーン），Ｂ（ブルー）の６つのライン，Ｃ，Ｍ，Ｙ，Ｒ，Ｇ，Ｂ−Ｋ（ブラック）の６つのライン、Ｍ−Ｒ，Ｒ−Ｙ，Ｙ−Ｇ，Ｇ−Ｃ，Ｍ−Ｂ，Ｂ−ＣおよびＷ−Ｋの各ラインについて、そのライン上にある格子点の格子点データを求める。（Ｓ１１−２）そして、これらの格子点以外の格子点の格子点データを補間演算によって求める（Ｓ１１−３）。補間処理の後、補間領域の境界において格子点データが不連続となるなどの弊害を低減するために、格子点データについて平滑化処理を行う（Ｓ１１−４）。そして、平滑化処理の後のテーブルについて、テーブル全体の格子点データを印刷媒体の最大打込量と比べ、打込量をオーバーしている格子点データを有した格子点があるかどうかをチェックし補正する打込量補正処理を行う（Ｓ１１−５）（特願２００４−２３８３１９号）。
【発明の開示】
【発明が解決しようとする課題】
【０００３】
ところが、記録画質の向上などを目的として、記録に用いる記録媒体の種類を使い分けることが行われている。
【０００４】
複数種類の記録媒体を選択的に用いる場合、用紙などの記録媒体に対する色材の付着特性を考慮して、それぞれの記録媒体について格子点データが定められる。例えば、色材がインクである場合には、その吸収性を考慮して色材の量を制御すべく、格子点データが定められる。すなわち、予め所定面積の記録媒体が吸収できる最大のインク量を得て、これを超えないように各色の色材量補正処理を行う。
【０００５】
図１２は、一の記録媒体のＷ−Ｋラインの打込量補正を行う前の色分解の例を示す。横軸はグリット点の値を示し、縦軸は信号値を示す。また、縦軸では信号値とは別に最大打込量（Ｍａｘ打込量）を示し、本実施形態では、１６０である。インクの総打込量は、Ｍａｘ打込量を超えているため、このまま記録媒体に記録すると、インクが溢れることになる。
【０００６】
図１３は、図１２に示すＷ−Ｋラインの打込量補正を行った後の色分解の例を示す。打込量を補正したため、総打込量がＭａｘ打込量を超えず、記録媒体がインクを吸収することができる。
【０００７】
図１４は、他の記録媒体のＷ−Ｋラインの打込量補正を行う前の色分解の例を示す。
【０００８】
図１５は、図１４に示すＷ−Ｋラインの打込量補正を行った後の色分解の例を示す。他の記録媒体のＭａｘ打込量は１９０であり、図１２および図１３の記録媒体よりもＭａｘ打込量が大きい。
【０００９】
しかしながら、記録に用いる記録媒体の種類のそれぞれに対応させて色分解テーブルを作成すると、そのための設計負担が増加するという問題を生じる。この負担は記録媒体の種類が増す程、過大となる。
【００１０】
一方、複数の記録媒体に対応した個々の色分解テーブルを設計する場合であっても、１つの記録媒体に対応した色分解テーブルの設計期間と同期間で設計を行わなければならないことが多い。したがって、それぞれの記録媒体に対応する色分解テーブルを作成する期間を割くことは困難である。
【００１１】
本発明は、このような観点からなされたものであり、１つの記録媒体の色分解テーブルを作成した後、その色分解テーブルを用いて他の色分解テーブルを作成することができる画像処理装置および画像処理方法を提供することを目的とする。
【課題を解決するための手段】
【００１２】
そのために本発明では、画像信号を印刷装置で用いる色材の信号に変換する処理に用いられる色分解テーブルであって、前記画像信号によって規定される格子点に対応させて前記色材信号として格子点データを格納した２以上の色分解テーブルを作成する画像処理装置において、前記２以上の色分解テーブルのうち第１の色分解テーブルを構成する格子点について格子点データを求めるテーブルデータ作成手段と、前記色分解テーブルのうち第２の色分解テーブルを構成する格子点について格子点データを求めるテーブルデータ作成手段であって、前記第１の色分解テーブルのインクの総打込量と、前記第２の色分解テーブルのインクの総打込量との差から、前記第１の色分解テーブルの格子点データを補正する比率を求め、該比率を第１の色分解テーブルの格子点データに乗ずることにより前記第２の色分解テーブルの格子点データを求める前記第２の色分解テーブルのテーブルデータ作成手段と、を具えたことを特徴とする。
【発明の効果】
【００１３】
以上の構成によれば、すでに作成された色分解テーブルのインクの総打込量と新たに作成する色分解テーブルのインクの総打込量の差から、すでに作成された色分解テーブルのそれぞれの格子点データの補正量を求めることができる。そして、かかる補正量に基づき、新たな色分解テーブルを作成することができる。
【００１４】
この結果、インク色数が異なる複数の色分解テーブルの作成を効率良く行うことができる。
【発明を実施するための最良の形態】
【００１５】
以下に図面を参照して本発明における実施形態を詳細に説明する。  
（実施形態１）
図１は、本発明の一実施形態にかかる画像処理装置の構成を示すブロック図である。本実施形態の画像処理装置は、図２にて後述されるように、プリンタにおけるソフトウエアまたはハードウエアの処理として構成されるものである。なお、本発明の適用はこのような形態に限られないことはもちろんであり、例えば、パーソナルコンピュータにおいて動作するプリンタドライバなどのソフトウエアによる処理であってもよい。
【００１６】
図１は、Ｒ、Ｇ、Ｂ各８ビットの画像データを本実施形態のプリンタで用いる色材のインクＣ、Ｍ、Ｙ、Ｋ各８ビットの色分解データに変換し、さらにそれを量子化されたＣ、Ｍ、Ｙ、Ｋ等各２ビットのデータとする処理を示している。同図において、カラーマッチング処理部１０１は、入力画像データＲＧＢの色再現域とプリンタの色再現域とを合わせるための色変換を行う。そして、色分解処理部１０２は、カラーマッチング処理部１０１からのＲ’Ｇ’Ｂ’データに基づいて色分解テーブルを参照し格子点データを得る。加えて、カラーマッチング処理部１０１はその格子点データを用いた補間演算を行うことにより、上記Ｒ’Ｇ’Ｂ’データをプリンタで用いる各色インクのデータＣ、Ｍ、Ｙ、Ｋ等に変換する。さらに、ハーフトーン処理部１０３は、インク分解処理部１０２で求めた各色インクの８ビットデータをプリンタで用いるため２値のデータＣ’、Ｍ’、Ｙ’、Ｋ’等に変換する。また、インク色分解テーブル部１０５は、インク色分解処理部１０２による色変換処理で用いる色分解テーブル（ルックアップテーブル形態）を提供し、色分解テーブル作成部１０４は、図３以降で後述されるように、上記のインク色分解テーブルを作成する。
【００１７】
図２は、本発明の一実施形態にかかる印刷システムの構成を示すブロック図であり、図１に示した画像処理装置を構成するプリンタを含んだシステムを示している。
【００１８】
図２において、コンピュータ２０１とモニタ２０２はプリンタ２０３のホスト装置を構成する。すなわち、コンピュータ２０１は、モニタ２０２に表示される画像などをプリンタ２０３によって印刷すべく、印刷のための画像データを保持し、印刷に際してこれをプリンタ２０３に供給する。プリンタ２０３は、図１に示した画像処理の構成を備え画像処理装置とし機能する。具体的には、プリンタ２０３の制御部を構成する、ＣＰＵ，ＲＡＭ、ＲＯＭによって図１に示す各処理部が構成され、図５および図８にて後述する処理を実行する。また、プリンタ２０３は、本実施形態ではインクジェット方式の印刷機構を備える。すなわち、Ｙ（イエロー）、Ｍ（マゼンタ）、Ｃ（シアン）、Ｋ（ブラック）の基本色インク、特色インクおよび淡色インクのそれぞれの記録ヘッドを記録媒体に走査させる。そして、この走査の間に記録媒体にそれぞれのインクを吐出するとともに、記録媒体を所定量ずつ搬送することにより印刷を実行する。なお、印刷方式は上述のインクジェット方式に限られないことはもちろんである。例えば、トナーを色材として用いた電子写真方式などを用いることもできる。
【００１９】
以上の印刷システムにおいて、コンピュータ２０１に保持されている画像データは、プリンタ２０３との間のケーブルを介してプリンタ２０３に送られる。なお、図示されていないネットワークに接続する他のホスト装置からプリンタ２０３に対して画像データが供給されてもよい。プリンタ２０３は、画像データが送られて来ると、先ず、図１に示したカラーマッチング処理部１０１で、モニタ２０２の色再現域とプリンタ２０３による色再現域とを合わせるカラーマッチング処理を行う。具体的には、ルックアップテーブルに補間演算を併用した色変換を行う。カラーマッチング処理されたＲ’Ｇ’Ｂ’データは、色分解処理部１０２で、予め作成されたルックアップテーブルを用いる色分解テーブル部１０５のテーブルデータを用いた補間演算によって色分解される。具体的には、データＲ’、Ｇ’、Ｂ’によって色分解テーブル部１０５を参照してＣ、Ｍ、Ｙ、Ｋ等の色分解データを読み出す。加えて、この読み出した値に対して上記データＲ’、Ｇ’、Ｂ’の値に基づいて補間演算を施し、最終的に色分解されたＣ、Ｍ、Ｙ、Ｋ等の色分解データを得る。そして、これらの８ビットデータはハーフトーン処理部１０３にて、プリンタで用いるＣ’、Ｍ’、Ｙ’、Ｋ’等の２値データに変換され、印刷に用いられる。なお、ハーフトーン処理部１０３で行われる量子化は２値化に限られず、用いるドットパターンや印刷機構の形態などに応じて４値、５値などの値を用いることができることはもちろんである。
【００２０】
インク色分解テーブル部１０５に格納されているテーブルデータは、色分解テーブル作成部１０４によって予め作成されるが、本発明の一実施形態にかかるその生成処理について図３〜図１０を参照して説明する。
【００２１】
図３は、色分解テーブル部１０５の色分解テーブルを模式的に示す図である。すなわち、色分解テーブル部１０５は、入力データＲ’、Ｇ’、Ｂ’によって規定される上記の立方体における所定の位置（色）を格子点で表す。加えて、この格子点に対応して色分解データ（格子点データ）Ｙ、Ｍ、Ｃ、Ｋの他、特色や淡色の各値をテーブルデータとして格納したものである。そして、色分解部１０２では、入力されたＲ’Ｇ’Ｂ’データによって、所定の格子点を特定しその格子点およびその周囲の所定の格子点の格子点データを読み出し、それらの格子点データを用いて補間処理を行う。なお、補間方法としては、四面体補間や立方体補間など、知られているどのような補間方法をも用いることができる。
【００２２】
図４は、色分解テーブルの作成方法を説明する図である。
【００２３】
本実施形態では、先ず、図４に示すように、立方体の８つの頂点を結ぶラインＷ−Ｃ，Ｍ，Ｙ，Ｒ，Ｇ，Ｂの６つのライン，Ｃ，Ｍ，Ｙ，Ｒ，Ｇ，Ｂ−Ｋの６つのライン、Ｍ−Ｒ，Ｒ−Ｙ，Ｙ−Ｇ，Ｇ−Ｃ，Ｍ−Ｂ，Ｂ−ＣおよびＷ−Ｋの各ラインについて、そのライン上にある格子点の格子点データを求める。次に、これらの格子点以外の格子点の格子点データを補間演算によって求める。
【００２４】
以下、２種類の記録媒体を用いて、本実施形態を説明する。本実施形態では、１種類目の記録媒体をメディア１とし、２種類目の記録媒体をメディア２とする。メディア１とメディア２共に使用するインクの色は、Ｃ（シアン）、Ｍ（マゼンタ）、Ｙ（イエロー）、Ｋ（ブラック）、Ｌｃ（ライトシアン）、およびＬｍ（ライトマゼンタ）である。
【００２５】
図５は、メディア１の色分解テーブルの作成処理を示すフローチャートである。
【００２６】
まず、ステップＳ５−１で、ラインＷ−Ｋ、Ｍ−Ｒ、Ｒ−Ｙ、Ｙ−Ｇ、Ｇ−Ｃ、Ｃ−Ｂ、Ｂ−Ｍの各ラインおよびＷ−Ｃ，Ｍ，Ｙ，Ｒ，Ｇ，Ｂ−Ｋの各ラインそれぞれにおける格子点の格子点データを求め、これら格子点に関する色分解テーブルを作成する。
【００２７】
本実施形態では、Ｃ、Ｍ、Ｙ、Ｋ、ＬｃおよびＬｍについてそれぞれ８ビットで表される０〜２５５の値を１６等分した値の組合せについて、予め、プリンタによってパッチを印刷出力し、それらを測色しそれぞれの測色値を保持する。一方、上記頂点に当たる格子点の格子点データ（色分解データ）を、例えば、頂点Ｙでは（Ｃ、Ｍ、Ｙ、Ｋ、Ｌｃ、Ｌｍ）＝（０、０、２５５、０、０、０）のように予め定める。そして、各頂点を結ぶライン上の格子点の格子点データ（色分解データ）は、均等に分布した格子点の測色値とそれぞれ最も近い測色値のパッチを出力したデータ（Ｙ、Ｍ、Ｃ、Ｋ、Ｌｃ、Ｌｍ）をそれぞれの格子点の格子点データとして求める。なお、以上の基本的なテーブル作成において、色相ごとに最適なＵＣＲ量やＢＧ量を設定するようパッチを選択することにより、プリンタの色再現範囲を最大にしつつ、墨による粒状度の影響をできるだけ抑制したテーブルを設定することができる。また、用いる特色に応じて、本ステップで設定するラインのうちいくつかを特色に対応する格子点を設定しそれを通るものとしてもよいことはもちろんである。
【００２８】
次に、ステップＳ５−２では、ステップＳ５−１で求めた各ライン上の格子点の格子点データに基づいて内部補間処理を行い、上記ライン以外の格子点について格子点データを求める。
【００２９】
内部補間処理は公知のものを用いることができる。その概略は次のとおりである。先ず、各格子点に対応するインク量を決定するための、シアン、マゼンタ、イエロー、ブラック、ライトシアン、ライトマゼンタのインク色を順次選択する。次に、補間を行う四面体を選択し、さらに複数の三角形に分割する処理を行う。複数の三角形に分割は、例えば、頂点Ｒ，Ｙ，Ｋ，Ｗで構成される四面体の場合、これを表面の三角形と内部の三角形に分割することができる。先ず、頂点Ｒ−Ｙ−Ｋ，Ｒ−Ｙ−Ｗ，Ｋ−Ｗ−Ｒ，Ｋ−Ｗ−Ｙで構成される三角形に分割する。次に、四面体ＲＹＫＷの内部を三角形Ｒ−Ｙ−Ｗに平行な面で、格子点の数に応じた数の内部三角形に分割する。次に、上記のように分割したそれぞれの対象三角形に対して２次元の補間処理を行う。そして、補間処理結果のインク等高線と各格子点の距離を算出し、対象格子点のインク量を決定する。すなわち、補間処理結果のインク等高線と各グリット距離の算出結果のうち計算された距離の最も小さいものを対象格子点のインク量として決定する。移行、順次それぞれのインク色について上記の処理を行うことによって補間処理を行うことができる。
【００３０】
ステップＳ５−２の内部補間処理の後、ステップＳ５−３で打ち込み量補正処理を行う。この処理は、補正率ｋを用いて補正を行うが、以下に示すステップＳ５−５の打ち込み量オーバーチェックの結果に応じて、補正率ｋを変更する。すなわち、色分解テーブルについて、打込量がオーバーすると判断される格子点データを有する格子点があるとき、テーブルの総ての格子点データの値に補正率ｋをかけて格子点データの補正を行う。ここで、打込量補正率ｋ（ｎ）は、ステップＳ５−３とＳ５−４の各ステップで構成されるループの回数ｎによって変化する。また、打込量補正率ｋは、ｋ（ｎ）＝αｋ（ｎ−１）に設定される。すなわち、ステップＳ５−５の判断で、ステップＳ５−３の処理に戻ると、補正率ｋはその都度α倍される。初期値ｋ（０）を用いると、ｋ（ｎ）＝αnｋ（０）と表すことができる。
【００３１】
次に、色分解テーブル全体の格子点データに対して打込量補正率ｋ（ｎ）をかけて補正を行う。このように打込み量補正をテーブル全体に対して一体に行うことにより、平滑化処理に対する影響を少なくすることが可能となる。なお、このように全体的な補正でなくても、平滑化処理に対応させて、打込み量補正を３×３×３といった局所的に行ってもよく、打ち込み量補正が平滑化に与える影響を少なくすることが可能である。
【００３２】
これにより、色分解テーブルで、打込量がオーバーする格子点は少しずつ補正され、最終的に、打込量オーバーしないような色分解テーブルとなる。
【００３３】
図６は、メディア２の色分解テーブルの作成処理を示すフローチャートである。
【００３４】
まず、Ｓ６−１では、色分解テーブル作成部１０４にメディア１の色分解テーブルを代入する。また、メディア１のＭａｘ打込量（Ｍａｘ１）を代入する。次に、メディア２のＭａｘ打込量（Ｍａｘ２）を代入する（Ｓ６−２）。そして、Ｍａｘ１とＭａｘ２の大きさを比較する（Ｓ６−３）。Ｍａｘ１がＭａｘ２より大きいか等しい場合には、Ｓ６−４およびＳ６−５を経てＳ６−８に進む（ケースＡ）。Ｍａｘ１がＭａｘ２より小さい場合には、Ｓ６−６およびＳ６−７を経てＳ６−８に進む（ケースＢ）。
【００３５】
Ｓ６−４およびＳ６−６では、Ｍａｘ１とＭａｘ２の差を求める。Ｓ６−４ではＭａｘ１の方が大きいため、
総打込量差Ａ＝Ｍａｘ１−Ｍａｘ２（ケースＡ）
である。一方、Ｓ６−６ではＭａｘ２の方が大きいため、
総打込量差Ｂ＝Ｍａｘ２−Ｍａｘ１（ケースＢ）
である。 
そして、総打込量差とＭａｘ１から、打込量修正比率を求める。 
打込量修正比率＝総打込量差／Ｍａｘ１
である。したがって、
打込量修正比率Ａ＝総打込量差Ａ／Ｍａｘ１（ケースＡ）
打込量修正比率Ｂ＝総打込量差Ｂ／Ｍａｘ１（ケースＢ）
となる。
【００３６】
次に、各色の修正量を計算して、各色のメディア２の各グリッド点のインク値を求める（Ｓ６−５、Ｓ６−７）。各色の修正量を、メディア１の各グリッド点のインク値それぞれに打込量修正比率を乗じて求め、メディア１のインク値から減ずるまたは加えることにより求める。したがって、
修正量Ａ＝メディア１のインク値×打込量修正比率Ａ
メディア２のインク値＝メディア１のインク値−修正量Ａ（ケースＡ、Ｓ６−５）
修正量Ｂ＝メディア１のインク値×打込量修正比率Ｂ
メディア２のインク値＝メディア１のインク値＋修正量Ｂ（ケースＢ、Ｓ６−７）
となる。全てのグリット点について、各色それぞれのインク値をもとめた後、Ｓ６−８で、メディア２の色分解テーブルにデータを格納する。
【００３７】
図７は、図６に示すケースＡのメディア１のＷ−Ｋラインの色分解の例を示す図である。
【００３８】
図８は、図６に示すケースＡのメディア２のＷ−Ｋラインの色分解の例を示す図である。
【００３９】
この場合のＭａｘ１は１９０であり、Ｍａｘ２は１６０である。メディア２の総打込量は１６０以下となっており、例えば、メディア１におけるシアンインクのグリッド点１１のインク量は６２．５であり、打込量補正により、メディア２におけるシアンインクのグリッド点１１のインク量は５９である。
【００４０】
図９は、図６に示すケースＢのメディア１のＷ−Ｋラインの色分解の例を示す図である。
【００４１】
図１０は、図６に示すケースＢのメディア２のＷ−Ｋラインの色分解の例を示す図である。
【００４２】
この場合のＭａｘ１は１６０であり、Ｍａｘ２は１９０である。メディア２の総打込量は１９０以下となっており、例えば、メディア１におけるシアンインクのグリッド点１１のインク量は５９であり、打込量補正により、メディア２におけるシアンインクのグリッド点１１のインク量は６２．５である。
【００４３】
なお、本発明は、上述した計算式のように、メディア１とメディア２の総打込量の差から打込量修正比率を求めるものに限定されるものではない。打込量の差からメディア２の総打込量が最大打込量よりも低くなるように求めるものであればよい。例えば、総打込量が最大打込量を超えた領域にのみ打込量の差に応じた打込量修正比率を乗じて求めてもよく、また、打込量をそれぞれ一定量減ずる補正であってもよい。
【００４４】
さらに、本実施形態では、１つの記録装置が２種類の記録媒体に対応する場合について説明したが、対応する記録媒体が３種類以上であってもよく、かかる場合は、図６で説明した色分解テーブルの作成処理を色分解テーブルの数だけ行う。
【００４５】
（その他）
本発明は上記実施形態を実現する為の装置及び方法のみに限定されるものではない。上記システム又は装置内のコンピュータ（ＣＰＵあるいはＭＰＵ）に、上記実施形態を実現する為のソフトウエアのプログラムを供給し、このプログラムに従って上記システムあるいは装置のコンピュータが上記各種デバイスを動作させることにより上記実施形態を実現してもよい。
【００４６】
また、この様なプログラムを格納する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００４７】
上記コンピュータが、供給されたプログラムのみに従って各種デバイスを制御することにより、上記実施の形態の機能が実現される場合だけではなく、上記プログラムがコンピュータ上で稼働しているＯＳ(オペレーティングシステム)、あるいは他のアプリケーションソフト等と共同して上記実施の形態が実現されてもよい。
【００４８】
更に、この供給されたプログラムが、コンピュータの機能拡張ボードやコンピュータに接続された機能拡張ユニットに備わるメモリに格納された後、そのプログラムの指示に基づいてその機能拡張ボードや機能格納ユニットに備わるＣＰＵ等が実際の処理の一部又は全部を行い、その処理によって上記実施の形態が実現されてもよい。
【図面の簡単な説明】
【００４９】
【図１】本発明の一実施形態にかかる画像処理装置の構成を示すブロック図である。
【図２】本発明の一実施形態にかかる印刷システムの構成を示すブロック図である。
【図３】色分解テーブル部１０５の色分解テーブルを模式的に示す図である。
【図４】色分解テーブルの作成方法を説明する図である。
【図５】メディア１の色分解テーブルの作成処理を示すフローチャートである。
【図６】メディア２の色分解テーブルの作成処理を示すフローチャートである。
【図７】メディア１の色分解結果を示す図である。
【図８】メディア２の色分解結果を示す図である。
【図９】メディア１の色分解結果を示す図である。
【図１０】メディア２の色分解結果を示す図である。
【図１１】従来技術のテーブル作成処理を示すフローチャートである。
【図１２】従来技術の打込量補正を行う前の色分解の例を示す。
【図１３】従来技術の打込量補正を行った後の色分解の例を示す。
【図１４】従来技術の打込量補正を行う前の色分解の例を示す。
【図１５】従来技術の打込量補正を行った後の色分解の例を示す。
【符号の説明】
【００５０】
１０１    カラーマッチング処理部
１０２    色分解処理部
１０３    ハーフトーン処理部
１０４    色分解テーブル作成部
１０５    色分解テーブル部
２０１    コンピュータ
２０２    モニタ
２０３    プリンタ
【図１】
2007088636.tif 000003
【図２】
2007088636.tif 000004
【図３】
2007088636.tif 000005
【図４】
2007088636.tif 000006
【図５】
2007088636.tif 000007
【図６】
2007088636.tif 000008
【図７】
2007088636.tif 000009
【図８】
2007088636.tif 000010
【図９】
2007088636.tif 000011
【図１０】
2007088636.tif 000012
【図１１】
2007088636.tif 000013
【図１２】
2007088636.tif 000014
【図１３】
2007088636.tif 000015
【図１４】
2007088636.tif 000016
【図１５】
2007088636.tif 000017